(57)【要約】【課題】小型化に有効なコネクタ及びそれに好適な解除治具を提供する。【解決手段】雌ハウジング１０内には、雌端子金具３０を後方から挿入可能なキャビティ１１が設けられ、このキャビティ１１内には、基端部から前方へ突出するとともに挿入される雌端子金具３０により一旦撓み変形された後に復帰して雌端子金具３０に係止可能なランス１３が設けられている。ランス１３の前面のうち、係止した雌端子金具３０からはみ出した位置には、前方から解除治具６０によって操作可能な操作凹部２４が設けられている。操作凹部２４は、雌端子金具３０に対する係止面の幅領域内に配されるとともに、係止面よりも基端部側に引っ込んで形成されている。【選択図】　図２２
2004014371.tif 000002
【特許請求の範囲】
【請求項１】
コネクタハウジングには、端子金具を後方から挿入可能なキャビティが設けられ、このキャビティ内には、基端部から前方へ突出するとともに、挿入される端子金具によって一旦撓み変形された後に復帰して端子金具に対して係止可能なランスが設けられているものにおいて、
ランスの前面のうち、係止した端子金具からはみ出した位置には、前方から解除治具によって操作可能な操作凹部が設けられ、且つこの操作凹部は、端子金具に対する係止面の幅領域内に配されるとともに、前記係止面よりも基端部側に引っ込むように形成されていることを特徴とするコネクタ。
【請求項２】
前記操作凹部は、幅方向に一対配されていることを特徴とする請求項１記載のコネクタ。
【請求項３】
前記請求項１または前記請求項２に記載されたコネクタに使用される解除治具であって、
把持部と、この把持部の先端側に配されるとともに前記把持部をてこ操作することで前記操作凹部を操作可能な解除部と、前記てこ操作を行ったときに前記コネクタハウジングの前面に当接することで、前記てこ操作の傾動範囲を規制可能な規制部とを備えられていることを特徴とする解除治具。
【請求項４】
前記請求項１または前記請求項２に記載されたコネクタに使用される解除治具であって、
把持部と、この把持部の先端側に配されるとともに前記操作凹部を操作可能な解除部とからなり、前記把持部には、前記コネクタハウジングの前面から突出される前記端子金具のタブを受け入れ可能な受入部が設けられ、且つこの受入部の内面には、前記把持部が操作された時に前記タブとの干渉を回避可能な逃がしが形成されていることを特徴とする解除治具。
【発明の詳細な説明】
【０００１】
【発明の属する技術分野】
本発明は、コネクタ及び解除治具に関する。
【０００２】
【従来の技術】
従来、ランスを有するコネクタの一例として特開平６−３２５８１４号公報に記載されたものが知られている。このものは、図２９に示すように、ハウジング１に後方から端子金具２を挿入可能なキャビティ３が設けられ、このキャビティ３内には、挿入される端子金具２によって一旦上方の撓み空間４へ撓み変形された後に、復帰して端子金具２に係止可能なランス５が設けられている。ランス５は、キャビティ３の上壁から前方へ延出する片持ち状のアーム部６と、アーム部６の前部下面からキャビティ３内に突出して端子金具２に係止可能な係止突部７と、係止突部７よりも前方へ突出する解除部８とから構成されている。
一方、ランス５に係止した状態の端子金具２を取り外す場合には、ハウジング１の前面側から解除治具を挿入するとともに、ランス５の解除部８を上方へ操作することで、ランス５を強制的に撓み変形させて端子金具２との係止状態を解除するようにしている。
【０００３】
【発明が解決しようとする課題】
ところで、取り外し時には、係止突部８を端子金具２との高さ方向の係止代だけランス５を撓ませればよいのだが、このときには、解除部８は、係止代よりも大きく変位するため、ハウジング１は、解除部８の変位量を許容するような撓み空間４をランス５の上方に確保する必要がある。このため、コネクタが高さ方向に大型化することが懸念される。
その対策としては、例えば解除部をランス５の側面から幅方向に沿って突出して設けることが考えられる。しかしながら、そうしたのでは、キャビティ３が幅方向に拡張されることになり、コネクタが幅方向に大型化する結果となる。
本発明は上記のような事情に基づいて完成されたものであって、小型化に有効なコネクタ及びそれに好適な解除治具を提供することを目的とする。
【０００４】
【課題を解決するための手段】
上記の目的を達成するための手段として、請求項１の発明に係るコネクタは、コネクタハウジングには、端子金具を後方から挿入可能なキャビティが設けられ、このキャビティ内には、基端部から前方へ突出するとともに、挿入される端子金具によって一旦撓み変形された後に復帰して端子金具に対して係止可能なランスが設けられているものにおいて、ランスの前面のうち、係止した端子金具からはみ出した位置には、前方から解除治具によって操作可能な操作凹部が設けられ、且つこの操作凹部は、端子金具に対する係止面の幅領域内に配されるとともに、前記係止面よりも基端部側に引っ込むように形成されている構成としたところに特徴を有する。
請求項２の発明は、請求項１に記載のものにおいて、前記操作凹部は、幅方向に一対配されているところに特徴を有する。
【０００５】
請求項３の発明に係る解除治具は、前記請求項１または前記請求項２に記載されたコネクタに使用される解除治具であって、把持部と、この把持部の先端側に配されるとともに前記把持部をてこ操作することで前記操作凹部を操作可能な解除部と、前記てこ操作を行ったときに前記コネクタハウジングの前面に当接することで、前記てこ操作の傾動範囲を規制可能な規制部とを備えられているところに特徴を有する。
【０００６】
請求項４の発明に係る解除治具は、前記請求項１または前記請求項２に記載されたコネクタに使用される解除治具であって、把持部と、この把持部の先端側に配されるとともに前記操作凹部を操作可能な解除部とからなり、前記把持部には、前記コネクタハウジングの前面から突出される前記端子金具のタブを受け入れ可能な受入部が設けられ、且つこの受入部の内面には、前記把持部が操作された時に前記タブとの干渉を回避可能な逃がしが形成されているところに特徴を有する。
【０００７】
【発明の作用及び効果】
＜請求項１の発明＞
ランスに係止された状態の端子金具を取り外す場合には、解除治具により操作凹部を操作することで、ランスを強制的に撓み変形させて端子金具との係止状態を解除する。
操作凹部は、係止面よりも基端部側に引っ込んで設けてあるから、コネクタハウジング内におけるランスの撓み空間の高さ寸法を設定する上で、撓み変形時における係止面の変位量よりも、大きな寸法を確保する必要がない。その上、操作凹部は、端子金具に対する係止面の幅領域内に配されているから、キャビティの幅寸法の拡張もない。これらによって、コネクタの小型化を図ることができる。
＜請求項２の発明＞
操作凹部を幅方向に一対配するようにしたから、解除操作時にランスがねじれ変形するようなことが防がれる。
【０００８】
＜請求項３の発明＞
把持部を持っててこ操作すると、規制部がコネクタハウジングの前面に当接することで、てこ操作の傾動範囲が規制される。これにより、ランスの撓み量を規制することができるから、ランスを過度に撓み変形させることが防止される。
【０００９】
＜請求項４の発明＞
解除部を操作凹部内に進入させると、コネクタハウジングの前面から突出する端子金具のタブが受入部内に受け入れられる。この状態で把持部を操作すると、逃がしによりタブとの干渉が回避されつつ解除部によりランスが撓み変形させられる。
【発明の実施の形態】
【００１０】
本発明の一実施形態を図１ないし図２８によって説明する。この実施形態では、雌コネクタハウジング１０（以下、単に雌ハウジング１０という）内に雌端子金具３０が挿入されてなる雌コネクタを示す。この雌端子金具３０は、雌ハウジング１０内に収容された状態で、雌ハウジング１０に対して嵌合される相手の雄ハウジング内に収容された雄端子金具（雄ハウジング共々図示せず）と導通接続可能とされている。なお以下では、雌ハウジング１０に対する雌端子金具３０の挿入方向を前方とし、逆の抜き取り方向を後方とし、また上下方向の記載は図８などを基準として説明する。
【００１１】
雌ハウジング１０は、前後方向（雌端子金具３０の挿抜方向）に沿って型閉じ・型開きする前後一対の金型によって樹脂成形されている。この雌ハウジング１０は、図１及び図８に示すように、内部には後方から雌端子金具３０を挿入可能なキャビティ１１が上下２段、幅方向に複数室並んで配設されている。キャビティ１１内に挿入される雌端子金具３０は、キャビティ１１の下壁１２から突設されたランス１３により弾性的に抜け止め可能とされるとともに、雌ハウジング１０の前壁１４によって前止まり状態に支持されるようになっている。この雌ハウジング１０の前壁１４には、相手の雄端子金具のタブがキャビティ１１内に前方から進入するのを許容するタブ挿通孔１５が穿設されており、その前側の孔縁には、全周にわたって略擂鉢状をなす誘導面１６が形成されることで、タブの進入動作が円滑に誘導されるようになっている。雌ハウジング１０の前壁１４のうちタブ挿通孔１５よりも下方位置（タブ挿通孔１５とはランス１３の撓み方向にずれた位置）には、雌ハウジング１０の成形時にランス１３を成形する前側の金型を前方へ型抜きするために型抜き孔１７が穿設されている。前壁１４における型抜き孔１７の孔縁上部幅方向中央には、下方へ突き出る略三角形状の突出部１８が設けられ、この突出部１８にも上記誘導面１６が連続して形成されている。
【００１２】
各キャビティ１１の下壁１２は、前側の約１／４部分が一段低く形成されるとともにその段差部分から片持ち状のランス１３が前方へ突出して形成されている。このランス１３は、全体としては前端側にかけて次第に上方、すなわちキャビティ１１内に張り出すよう、前方へ向かって上り勾配をなす傾斜状に形成されており、キャビティ１１内への張出部分が挿入される雌端子金具３０により押圧されることで突出基端（後端）を支点として下方（雌端子金具３０の挿抜方向と交差する方向）へ撓み変形可能とされている。この撓み時にランス１３は、下壁１２の低位部分１２ａとの間に確保された撓み空間内に退避するようになっている。このランス１３の前方に確保された空間内には、雌端子金具３０の係止突部５２が進入可能とされている。ランス１３の下方に対向する下壁１２の低位部分１２ａは、ランス１３がその弾性限度を超えて撓み変形する手前の段階でランス１３の下面に係合することで、その過度撓み変形を規制できるようになっている。またランス１３は、前壁１４に連結された下壁１２の低位部分１２ａにより、全幅にわたって下方のキャビティ１１または下方外部に露出することなく覆われており、もってランス１３の保護が図られている。
【００１３】
キャビティ１１の下壁１２のうちランス１３よりも後側部分には、図２及び図８に示すように、雌端子金具３０の形状に合わせて溝が形成されている。すなわち、下壁１２のうち幅方向略中央には、雌端子金具３０の係止突部５２及び突部４９を挿通可能な突部挿通溝１９が形成されており、この突部挿通溝１９の図２に示す右側方には、雌端子金具３０のスタビライザ４７を挿通可能とされ、且つ突部挿通溝１９よりもさらに低いスタビライザ挿通溝２０が形成されている。この突部挿通溝１９は、後述するようにランス１３側に連続して形成されるのに対し、スタビライザ挿通溝２０は、前端位置がランス１３よりも少し後方に設定されている。
【００１４】
キャビティ１１の上面（ランス１３との対向面）における前端部には、全幅にわたって内方（ランス１３側）へテーパ状に張り出す張出部２１が設けられており、この張出部２１によってキャビティ１１内に挿入される雌端子金具３０の前端部をランス１３側へ押し出すことで、ランス１３の係止深さが増加できるようになっている。キャビティ１１の後端周縁は、一部を除いてほぼ全周にわたり雌端子金具３０を誘い込むことができるようテーパ状に形成されている。キャビティ１１の後端周縁のうち、図２の左上位置には、雌端子金具３０の挿抜方向と直交する切り立った端面をなす規制部２２が設けられており、この規制部２２には、雌端子金具３０がキャビティ１１に対して正規の挿入姿勢とは上下反転した不正な姿勢とされたときに、スタビライザ４７が突き当たることで挿入動作を規制可能とされている。またキャビティ１１は、図１１に示すように、前半部分が後半部分よりも幅狭になるように、両側壁２３が内方へテーパ状に張り出して形成されている。
【００１５】
ランス１３の構造を詳細に説明する。ランス１３は、図３に示すように、下面が全長にわたって前方に向かって緩やかな上り勾配をなす傾斜面とされるのに対し、上面が、ランス１３の後部１３ｂにおいては下面と同様の傾斜面（但し、下面よりはやや急な勾配をなす）とされ、ランス１３の前部１３ａにおいてはほぼ水平に形成されている。ランス１３の上面は、下壁１２の後部側から連続して形成された突部挿通溝１９により幅方向中央が全長にわたって凹んだ形状となっている。突部挿通溝１９は、ランス１３の後部１３ｂにおいては、全体として前側にかけて次第に溝幅が狭くなるよう形成されており、底面１９ａと、上下方向に沿って真直な一対の側面１９ｂと、両側面１９ｂと底面１９ａとを繋ぐとともに内傾した一対の斜面１９ｃとにより構成されている。突部挿通溝１９は、ランス１３の前部１３ａにおいては、溝幅が全長にわたって一定とされるとともに、円弧面１９ｄによって構成されている。またランス１３の下面のうち幅方向中央部分は、全長にわたって突部挿通溝１９の円弧面１９ｄよりも緩やかな円弧面１３ｃとなっており、下壁１２の低位部分１２ａについても同様の円弧面１２ｂが形成されている。この下壁１２の低位部分１２ａのうち、上記円弧面１２ｂの両側方位置には、一段せり上がる張り出し１２ｃが形成されている。
【００１６】
ランス１３は、キャビティ１１にほぼ匹敵する幅寸法（キャビティ１１よりも僅かに小さい程度）を有し、全長にわたって一定幅に形成されている。このランス１３の型抜き孔１７は、雌ハウジング１０の前壁１４においてキャビティ１１よりも大きな幅領域にわたって形成されており、従ってランス１３の両側方に対向するキャビティ１１の両側壁２３には、所定幅ずつの切り欠き１７ａが形成されている。この切り欠き１７ａの幅寸法分だけ、ランス１３を成形する金型の厚み寸法を大きく確保することができ、金型の強度が必要なだけ得られるようになっており、逆に言うとランス１３の幅寸法が大きく確保され、ランス１３の強度が高められている。
【００１７】
ランス１３の前端面両側部の下側約３／５部分には、ランス１３を強制的に撓み変形させるための解除治具６０によって操作可能とされる一対の操作凹部２４が後方（ランス１３の基端部側）へ引っ込むとともに前方に開口して形成されている。両操作凹部２４は、雌端子金具３０がランス１３に係止した状態でも前方外部に露出するように配置されており（図１７）、前方から型抜き孔１７を通して挿入される解除治具６０により下方へ押圧操作可能とされている。操作凹部２４は、ランス１３を側方から見て略三角形状に切欠して形成され、その上面がほぼ水平をなすのに対し、下面が後方へ向かって上り勾配をなすテーパ状をなしている。
【００１８】
ランス１３の前端部における上側約２／３部分には、さらに前方へ突出する突き出し部２５が全幅にわたって設けられている。この突き出し部２５は、雌端子金具３０に対してランス１３が係止した状態で、係止突部５２の内側に進入可能とされている。突き出し部２５は、下部２５ａがその上端側にかけて次第に突出長さが次第に大きくなるよう形成され、上部２５ｂ（両操作凹部２４よりも上側部分）が一定の突出長さを有している。別言すると、突き出し部２５の下部の前端面は、前方へ向かって上り勾配をなすテーパ状に形成されており、上部の前端面は、切り立った端面となっている。
【００１９】
さて、キャビティ１１内の前端位置の角部には、図２及び図９に示すように、雌端子金具３０に設けられた被支持溝部５３内に嵌合することで、雌端子金具３０が上下方向（ランス１３の撓み方向）に傾動するのを規制可能な支持突部２６が内方に突出して設けられている。この支持突部２６は、略ブロック状に形成されるとともに、雌ハウジング１０の前壁１４（キャビティ１１の前面）とキャビティ１１の図２の左側の側壁２３（キャビティ１１の図２の右側内側面）との双方に連結されることで、強度が高められている。この支持突部２６は、ランス１３に対して上方（ランス１３の撓み方向）にずれた位置で、且つその下面が型抜き孔１７に臨むような位置に配されている。
【００２０】
雌端子金具３０は、金属母材を所定形状に打ち抜いたものに叩き加工や曲げ加工などを施すことで所望の形状に成形されている。この雌端子金具３０は、図５及び図８に示すように、大まかには前後に開口する略箱型をなす本体部３１と、電線Ｗの端末に圧着接続可能なバレル部３２とを前後に繋げた構成となっている。このうち、バレル部３２は、前後に一対ずつのかしめ片３２ａ，３２ｂを備え、前側の両かしめ片３２ａが電線Ｗの芯線部分Ｗａにかしめ付けられるのに対し、後側の両かしめ片３２ｂが電線Ｗの被覆部分Ｗｂにかしめ付けられるようになっている。
【００２１】
本体部３１は、前後に延出する底壁３３と、底壁３３の両側縁から立ち上がる一対の側壁３４，３５と、図４の左側の側壁３４の突出端から底壁３３と対向するよう突出する天井壁３６と、図４の右側の側壁３５の突出端から突出するとともに天井壁３６の外側に重ね合わせられる外壁３７とから構成されている。
【００２２】
底壁３３は、図８に示すように、他の壁３４，３５，３６，３７と比較して前端が後方へ引っ込んだ位置に配されており、この前端から弾性接触片３８が突設されている。弾性接触片３８は、底壁３３の前端から前方へ突出する舌片を後方へ向けて折り返すことで、底壁３３及び天井壁３６に対向するとともに全体として略山形をなす片持ち状に形成されている。弾性接触片３８は、この弾性接触片３８は、略Ｕ字型をなす折返部の後側に前傾部分と後傾部分とを順次に繋げた構成とされ、その前傾部分と後傾部分とにまたがる領域には、前後に細長い略長円形状をなす膨出部３９が天井壁３６側へ叩き出して形成されている。この膨出部３９における頂点部分が、相手の雄側端子金具のタブと接触可能な接点部４０とされている。この接点部４０が雄側端子金具のタブによって押圧されるのに伴って、弾性接触片３８は、折返部を撓み支点として底壁３３側へ接近するよう撓み変形可能とされている。撓み変形時には、弾性接触片３８の後端部が底壁３３の内面に当接可能とされ、この部分には弾性接触片３８の撓み代を稼ぐとともに、撓んだ弾性接触片３８を幅方向についてずれ止め可能な凹部４１が所定長さにわたって凹み形成されている。
【００２３】
また底壁３３のうち接点部４０に対向する位置には、過度撓み規制突部４２が接点部４０側へ突出するよう叩き出して設けられている。この過度撓み規制突部４２に対して弾性接触片３８が係合することで、弾性接触片３８が弾性限度を越えて過度に撓み変形するのを規制できるようになっている。また天井壁３６のうち膨出部３９及び係止突部５２と対向する位置には、受け部４３が内側（弾性接触片３８側）に張り出して設けられている。この受け部４３と弾性接触片３８との間で雄側端子金具のタブを狭圧状態に保持できるようになっている。
【００２４】
外壁３７は、図５及び図８に示すように、その長さ方向略中央部分に切欠部４４が全幅にわたって形成されることで、前部３７ａと後部３７ｂとに分断されている。この切欠部４４内には、雌端子金具３０がキャビティ１１内に挿入されると、ランス１３が全長にわたって進入可能とされ、切欠部４４の前側の切断端面４４ａに対してランス１３が係止可能とされている。ランス１３に対する係止面である切欠部４４における前側の切断端面４４ａは、全域にわたって内側に傾斜するテーパ状に形成されている。この切欠部４４は、外壁３７の半分弱の長さを有するとともに図５の奥側の側壁３５の上端部にまで形成されている。この側壁３５の上端面（切欠部４４における側方の切断端面）には、天井壁３６の突出端から突設された張出片４５が当接されることで、天井壁３６をほぼ水平な姿勢に支持できるようになっている。この天井壁３６は、張出片４５における側壁３５との当接部分を除いた全域が当該当接部分よりも僅かに低く形成されており、その分だけランス１３の係止深さを稼ぐことができるようになっている。また外壁３７の前部３７ａは、前後長さが後部３７ｂよりも少し短く設定されている。
【００２５】
外壁３７の後部３７ｂにおける突出端からは、図５及び図６に示すように、底壁３３側へ屈曲される後部保持片４６と、その反対側（外方）へ屈曲されるスタビライザ４７とが前後に設けられている。後部保持片４６は、図６の紙面手前側の側壁３４に切欠形成された後部保持溝４８内に嵌合されることで、後部３７ｂが前後に遊動するのを規制した状態に保持できるようになっている。スタビライザ４７は、キャビティ１１内のスタビライザ挿通溝２０内に挿通されることで、雌端子金具３０の挿入動作を案内可能となっている。また後部保持片４６の前端が後部３７ｂの前端と、スタビライザ４７の後端が後部３７ｂの後端と、それぞれ揃えられている。後部３７ｂのうち後端部の幅方向中央には、スタビライザ４７とほぼ同じ長さを有する突部４９が外方へ突出するよう叩き出して形成されている。この突部４９は、雌端子金具３０がキャビティ１１内に挿入されると、キャビティ１１の下面（突部挿通溝１９の上面）に当接可能とされている。
【００２６】
外壁３７の前部３７ａにおける突出端からは、底壁３３側へ屈曲される前部保持片５０が設けられている。前部保持片５０は、図６の紙面手前側の側壁３４に切欠形成された前部保持溝５１内に嵌合されることで、前部３７ａが前後に遊動するのを規制した状態に保持できるようになっている。この前部保持片５０は、外壁３７の前部３７ａよりも後方へ突出して形成されている。そして、前部保持片５０の根元部分には、上記切欠部４４が拡張して形成され、その切断端面４４ａが既述したように内側に傾斜したテーパ状に形成されており、ここにランス１３の側端部が係止可能とされている。
【００２７】
外壁３７の前部３７ａにおける幅方向に沿った後端縁部（切欠部４４の前側の切断端部）の略中央（正確には中央よりも僅かに図４の左側にずれた位置）には、ランス１３が係止可能とされる係止突部５２が外側へ突出するよう叩き出して形成されている。係止突部５２は、図５ないし図７に示すように、全体としては前端を頂点とする略角錐状をなしており、前端側にかけて幅寸法及び高さ寸法が減少する先細り状をなすとともに３つの斜面により構成される角錐部５２ａと、幅寸法及び高さ寸法が一定とされるとともに３つの側面により構成される角筒部５２ｂとを前後に繋げた構成となっている。係止突部５２の角錐部５２ａは、先細り状とされ、且つその前端部がやや丸みを帯びた形状に形成されることで、キャビティ１１内に雌端子金具３０が挿入される過程において突部挿通溝１９内での挿通動作を円滑にできるようになっている。係止突部５２の角筒部５２ｂは、切欠部４４の前側の切断端面４４ａの傾斜に沿って後方へオーバーハング状に突出して形成され、外壁３７の前部３７ａよりも後方に突出している。
【００２８】
この係止突部５２は、上記突部４９とほぼ同じ高さ位置まで突出するよう設定され、突部４９と同様にキャビティ１１の突部挿通溝１９内に挿通可能とされている。この係止突部５２の角筒部５２ｂにおける外側への突出先端は、ランス１３のうち突き出し部２５よりも下側部分に達する（ランス１３の前端面におけるほぼ全高さ領域にわたる）ように設定されており、もってランス１３の係止深さが十分に確保されている。係止突部５２のうちランス１３に対する係止面である後端面は、切欠部４４の前側の切断端面４４ａにより構成されており、内側に傾斜したテーパ状に形成されている。外壁３７の前部３７ａのうち係止突部５２に対する両側方部分の後端面についても、図９に示すように、内側に傾斜したテーパ状をなす切欠部４４の前側の切断端面４４ａにより構成され、ランス１３が係止可能とされている。
【００２９】
さて、上記のような構造の係止突部５２は、次述する仮想三角錐Ｘよりも外側に張り出した形状となっている。ここでいう仮想三角錐Ｘは、図７に示すように、係止突部５２の前端を頂点Ａとし、この頂点Ａに対して、係止突部５２のうち外壁３７の前部３７ａの後端縁からの一対の突出基端Ｂと、係止突部５２における外側への突出先端Ｃ（図７では幅方向中央位置とする）とを結んで構成される。係止突部５２の外面は、上記した仮想三角錐Ｘにおけるいずれの辺（頂点Ａと突出基端Ｂとを結ぶ直線、頂点Ａと突出先端Ｃとを結ぶ直線、突出基端Ｂと突出先端Ｃとを結ぶ直線）よりも外側に張り出すように形成されている。従って、この係止突部５２の内側の空間の容積は、上記仮想三角錐Ｘ内の空間の容積よりも大きくなっている。
【００３０】
外壁３７の前部３７ａと図４の右側の側壁３５とに跨る角部（弾性接触片３８を設けた底壁３３とは高さ方向について反対側の外壁３７における角部であり、且つ前部保持片５０とは幅方向について反対側の部分）には、被支持溝部５３が前方へ開放するよう切り欠いて形成されている。この被支持溝部５３には、雌端子金具３０がキャビティ１１内に挿入されるのに伴って、キャビティ１１の前端位置に設けられた支持突部２６が係止可能とされ、もって雌端子金具３０が上下方向（雌端子金具３０の挿抜方向と交差する方向、ランス１３の撓み方向）に遊動不能に支持されるようになっている。
【００３１】
次に、雌端子金具３０を取り外す際に使用する解除治具６０の構造を説明する。この解除治具６０は、図１９ないし図２１に示すように、作業者が把持するための把持部６１と、把持部６１の先端に設けられ、ランス１３を操作するための解除部６２と、把持部６１の先端面に設けられ、解除治具６０の操作範囲を規制するための規制部６３，６４（後述する進入規制面６３及び傾動規制面６４）とから構成されている。把持部６１は、前後方向に沿って細長い略ブロック状に形成され、その上面幅方向略中央には、詳細は後述する受入凹部６５が前後方向に沿って凹設されている。
【００３２】
解除部６２は、把持部６１よりも幅狭に形成されるとともに、先端側が二股状に分岐しており、この分岐部分が一対の操作アーム６６となっている。この操作アーム６６間のピッチは、雌端子金具３０の係止突部５２の幅寸法よりも僅かに広く、且つランス１３の両操作凹部２４間のピッチとほぼ等しく設定される。これにより、両操作アーム６６の先端部が係止突部５２との干渉を回避しつつランス１３の両操作凹部２４内に進入可能とされるとともに両操作凹部２４を下方（ランス１３の撓み方向）へ押圧可能となっている。また両操作アーム６６の先端面には、操作凹部２４の下面の傾斜に整合可能な勾配をもったテーパ面が形成されている。解除部６２における根元の上面幅方向両端には、前後に細長い一対の姿勢矯正部６７が突設されており、その前面がテーパ状に形成されている。両姿勢矯正部６７間のピッチは、上記両操作アーム６６間のピッチとほぼ揃えられ、ランス１３の型抜き孔１７に設けられた突出部１８との干渉を回避できるようになっている。この姿勢矯正部６７は、解除部６２をランス１３の型抜き孔１７内に挿入したときに、型抜き孔１７の孔縁上部に当接可能とされることで、解除治具６０の挿入姿勢をほぼ水平に矯正できるようになっている。また姿勢矯正部６７は、型抜き孔１７の孔縁上部との当接部分を支点として解除治具６０全体を傾動操作（てこ操作）できるようになっている。両操作アーム６６を含む解除部６２の下面全体には、操作アーム６６の先端側に向けて上り勾配をなす逃がし傾斜面６８が形成されている。この逃がし傾斜面６８によって、解除部６２を型抜き孔１７内に挿入したときには、下壁１２の低位部分１２ａの内面との間に所定のクリアランスが形成されるようになっており（図２３）、これにより解除治具６０のてこ操作を許容している。また解除治具６０の下面のうち、逃がし傾斜面６８の途中（操作アーム６６の基端位置）からは下方へ張り出す肉盛り部６９が前後方向に沿って設けられている。この肉盛り部６９の幅寸法は、上記した両張り出し１２ｃ間に進入可能な大きさに設定されている（図２６）。
【００３３】
把持部６１の先端面のうち、下側部分（姿勢矯正部６７の上端位置より下方の領域）は、上下方向に沿って真直な面となっており、この真直面が解除部６２における型抜き孔１７への挿入深さを規制可能な進入規制面６３とされている。把持部６１の先端面のうち、上側部分には、上端に向かうに連れて型抜き孔１７に対する挿入方向後方へ向かう勾配をもった傾動規制面６４となっている。この傾動規制面６４は、解除治具６０をてこ操作したときに雌ハウジング１０の前面に当接可能とされることで、解除治具６０の傾動操作範囲を規制し、ランス１３の撓み量を規制できるようになっている。ただし、このときのランス１３の撓み量は、雌端子金具３０との係止状態を解除するのに必要最小限であり、且つランス１３の弾性限度内に設定されている。
【００３４】
ところで、この解除治具６０は、上記雌コネクタ以外にも、雄コネクタにおいても使用可能である。図２７を参照しつつ説明すると、雄コネクタは、雄ハウジング７０の前面から、その内部に収容された雄端子金具７１のタブ７２が突き出るため、解除治具６０を操作する際には、解除治具６０とタブ７２との干渉が問題となる。上記した受入凹部６５は、まずタブ７２を受け入れ可能とされているとともに、その底面６５ａが型抜き孔１７に対する挿入方向後方へ向かって下り勾配をなす傾斜状に形成されていることで、解除治具６０をてこ操作したときにもタブ７２との干渉が回避されるようになっている。またこの受入凹部６５におけるタブ７２の入り口縁には、タブ７２の挿入動作を誘導可能な面取り６５ｂが施されている。
【００３５】
本実施形態は以上のような構造であり、続いてその作用について説明する。図８ないし図１１に示すように、雌端子金具３０のバレル部３２に電線Ｗを圧着接続した後に、雌端子金具３０をキャビティ１１内に後方から挿入する。このとき、スタビライザ４７を下方へ向けた正規の挿入姿勢とは上下反転した不正な姿勢で雌端子金具３０を挿入しようとした場合には、上方を向いたスタビライザ４７の前端面がキャビティ１１の後端周縁に形成された規制部２２に突き当たることで挿入動作が規制される。これにより、雌端子金具３０の逆挿入が確実に防止される。
【００３６】
正規の挿入姿勢としつつ雌端子金具３０をキャビティ１１内に挿入すると、先に係止突部５２が突部挿通溝１９内に挿通され、その後、突部４９が突部挿通溝１９内に、スタビライザ４７がスタビライザ挿通溝２０内にそれぞれ挿通されることで、雌端子金具３０が上下左右にがたつくのが抑制されつつ円滑に挿入される。そして、雌端子金具３０が所定深さまで挿入されると、図１２に示すように、係止突部５２によってランス１３が押圧されて下方へ撓み変形される。このとき、ランス１３は、前部１３ａが係止突部５２により押圧されるときに最も大きく撓まされる。この過程では、係止突部５２が前端を頂点とする略角錐状に形成されていることで、突部挿通溝１９内での挿通動作が円滑になり、且つランス１３をスムーズに押圧できるようになっている。
【００３７】
雌端子金具３０がキャビティ１１内に正規深さまで挿入されるのに伴って、係止突部５２がランス１３を乗り越えるとともにランス１３が弾性復帰して、図１３ないし図１６に示すように、切欠部４４内に進入しつつ雌端子金具３０に対して弾性的に係止される。このとき、ランス１３のうち、切断端面４４ａの傾斜に沿って突出する突き出し部２５が係止突部５２の内側に進入可能とされる。この過程では、本体部３１の前端部がキャビティ１１の上面の張出部２１により押し下げられてランス１３側に接近するよう変位するから、ランス１３の雌端子金具３０に対する係止深さが大きくなっている。しかも、このとき雌端子金具３０は、図１５に示すように、被支持溝部５３内に支持突部２６が嵌合して係止されることで、上下方向（ランス１３の撓み方向）に傾動するのが規制される。また係止突部５２は、図１７に示すように、ランス１３の両操作凹部２４とは幅方向にずれた位置に配されており、両操作凹部２４と共に前方外部に露出している。
【００３８】
ここで、ランス１３に対する係止面である切欠部４４の前側の切断端面４４ａは、図１３ないし図１６に示すように、係止突部５２を含めた外壁３７の前部３７ａ及び前部保持片５０に至るまで、すなわち雌端子金具３０のほぼ全幅領域にわたって形成されているので、雌端子金具３０は、強固な抜け止め力でもってキャビティ１１内から抜け止め状態に保持される。しかも、切欠部４４の前側の切断端面４４ａは、内側に傾斜したテーパ状に形成されているので、抜け止め力がより強固なものとなっている。
【００３９】
上記のような係止状態から、電線Ｗを介して雌端子金具３０に対して後方へ引っ張るような力が作用した場合には、雌端子金具３０におけるランス１３の前端面との当接部分である係止突部５２などがランス１３に対して食い込む可能性がある。そうなると、ランス１３の肉が削られて係止突部５２の内側の空間に進入することになる。
【００４０】
ところが、本実施形態における係止突部５２の内側の空間の容積は、既述した通り図７に示す仮想三角錐Ｘの内側の容積と比較すると大きくなっている。従って、食い込み時に係止突部５２の内側に進入するのが許容されるランス１３の肉の量が多くなっている。これにより、ランス１３を係止突部５２に食い込ませながら雌端子金具３０を後方へ引っ張るのに必要な力、すなわち雌端子金具３０の抜け止め力が大きくなっており、雌端子金具３０を強固に保持できるようになっている。
【００４１】
既述した通りに雌端子金具３０を雌ハウジング１０のキャビティ１１内に収容した後、雌端子金具３０の導通検査を行う場合がある。その場合には、雌ハウジング１０の前方から型抜き孔１７内に導通プローブＰを挿入して行う。図１８に示すように、導通プローブＰを真っ直ぐな姿勢としつつ型抜き孔１７内に挿入すると、導通プローブＰの先端部が型抜き孔１７に露出している係止突部５２の前部５２ａに当接される。もって、雌端子金具３０の導通検査を行うことができる。
【００４２】
一方、メンテナンスなどの事情により、雌ハウジング１０内から雌端子金具３０を取り外す場合がある。その場合は、図２２に示すように、解除治具６０の把持部６１を持って両操作アーム６６の先端を型抜き孔１７に対向させつつ押し込む。押し込み過程では、両操作アーム６６に続いて両姿勢矯正部６７が型抜き孔１７の孔縁上部に摺接することで、解除治具６０全体の挿入姿勢をほぼ水平に保つことができる（図２６）。そして、図２３に示すように、進入規制面６３が雌ハウジング１０の前面に当接すると、それ以上の解除治具６０の押し込み動作が規制される。このとき、両操作アーム６６の先端部が対応する両操作凹部２４内に進入して、双方のテーパ面同士が整合状態で当接し合う。このとき、逃がし傾斜面６８と下壁１２の低位部分１２ａとの間、及び傾動規制面６４と雌ハウジング１０の前端面との間には、それぞれクリアランスが確保されている。
【００４３】
この状態で、姿勢矯正部６７の根元部分と型抜き孔１７の孔縁上部との当接部分を支点として把持部６１を持ち上げつつ解除治具６０をてこ操作して、図２４に示すように、傾動規制面６４が雌ハウジング１０の前端面に当接するまで傾動させる（図２６）。このとき、逃がし傾斜面６８が下壁１２の低位部分１２ａに当接または近接している。すると両操作アーム６６が両操作凹部２４を押し下げて、ランス１３を下方へ撓み変形させる。これにより、ランス１３は、雌端子金具３０との係止状態を解除するのに必要な最小限の撓み動作を行うため、図２５に示すように、この間に雌端子金具３０を後方へ引っ張ると、雌端子金具３０を抜き取ることができる。
【００４４】
ところで、この解除治具６０を用いて雄コネクタから雄端子金具７１を取り外すこともできる（図２７及び図２８参照）。すなわち、受入凹部６５内に雄ハウジング７０の前端面から突出する雄端子金具７１のタブ７２が受け入れられるよう、既述した要領で解除部６２を型抜き孔１７Ａ内に挿入する。この状態では、受入凹部６５の底面６５ａは、後方へ向かって下り勾配をなす傾斜状に形成されているから、タブ７２の先端部との間には所定のクリアランスが確保されている。従ってその後、解除治具６０をてこ操作してランス１３Ａを撓み変形させる場合に、上記したクリアランスによりタブ７２との干渉を回避できる。かくして、本実施形態の解除治具６０は、雌雄いずれのコネクタにも使用することができる。
【００４５】
以上説明したように本実施形態によれば、解除治具６０によって操作可能な操作凹部２４は、ランス１３の前面のうち、係止面よりもランス１３における基端部側へ引っ込むように形成されているから、雌ハウジング１０内におけるランス１３の撓み空間の高さ寸法を設定する上で、撓み変形時におけるランス１３の係止面の変位量よりも、大きな寸法を確保する必要がない。その上、操作凹部２４は、ランス１３の前面のうち、雌端子金具３０に対する係止面の幅領域内に配されているから、キャビティ１１の幅寸法の拡張もない。これらによって、コネクタを高さ方向及び幅方向について小型化することができる。
【００４６】
しかも、ランス１３において操作凹部２４を幅方向に一対配するようにしたから、解除操作時にランス１３がねじれ変形することなく、ランス１３を真っ直ぐな姿勢のまま撓ませることができる。
【００４７】
また、解除治具６０のうち把持部６１の先端面には、てこ操作を行う際に雌ハウジング３０の前面に当接することで、てこ操作の傾動範囲を規制可能な傾動規制面６４を設けるようにしたから、ランス１３の撓み量を規制することができ、もってランス１３を過度に撓み変形させる事態を防ぐことができる。
【００４８】
また、解除治具６０を雄コネクタに使用する場合、解除治具６０のうち把持部６１には、受入凹部６５が設けられているから、解除部６２を型抜き孔１７Ａ内に進入させたときに雄ハウジング７０の前面から突出される雄端子金具７１のタブ７２を受け入れ可能となっている。しかも受入凹部６５の底面６５ａが型抜き孔１７Ａに対する挿入方向後方へ向かって下り勾配をなす傾斜状に形成されているから、把持部６１を操作した時に受入凹部６５内に受け入れられたタブ７２との干渉を回避できるような逃がしが確保されている。従って、当該解除治具６０は、雄雌のコネクタのいずれにおいても使用することができる。
【００４９】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記した実施形態では、操作凹部を幅方向に一対設けたものを示したが、１つ或いは３つ以上の操作凹部を設けたものも本発明に含まれる。
（２）上記した実施形態では、雌コネクタにおいてランスに操作凹部を設けたものを示したが、雄コネクタについても本発明は同様に適用可能である。また、上記した実施形態では、片持ち状のランスを例示したが、前後両端に撓み支点を有する両持ち状のランスについても本発明は適用可能である。
（３）上記した実施形態では、てこ操作を行ってランスを撓み変形させる解除治具を示したが、例えば把持部及び解除部を水平に保ちつつランスの撓み方向に沿って操作するようなものも本発明に含まれる。
（４）上記した実施形態では、てこ操作の傾動範囲を規制するための傾動規制面と、雄端子金具のタブを受け入れるための受入凹部とを共に有する解除治具を示したが、傾動規制面と受入凹部とのうちいずれか一方のみを有するものも本発明に含まれる。
（５）上記した実施形態では、解除部の先端が二股状に形成されたものを示したが、解除部の形態はその他にも自由に設定することができる。
【図面の簡単な説明】
【図１】本発明の一実施形態に係る雌ハウジングの正面図
【図２】雌ハウジングの背面図
【図３】雌ハウジングの部分切欠斜視図
【図４】雌端子金具の正面図
【図５】雌端子金具の底面図
【図６】雌端子金具の左側面図
【図７】係止突部と仮想三角錐とを示す拡大斜視図
【図８】雌ハウジング内に雌端子金具を挿入する前の状態を示す側断面図（雌ハウジングが図１のＡ−Ａ線断面図、雌端子金具が図４のＥ−Ｅ線断面図）
【図９】雌ハウジング内に雌端子金具を挿入する前の状態を示す側断面図（雌ハウジングが図１のＢ−Ｂ線断面図、雌端子金具が図４のＦ−Ｆ線断面図）
【図１０】雌ハウジング内に雌端子金具を挿入する前の状態を示す側断面図（雌ハウジングが図１のＣ−Ｃ線断面図、雌端子金具が右側面図）
【図１１】雌ハウジング内に雌端子金具を挿入する前の状態を示す側断面図（雌ハウジングが図１のＤ−Ｄ線断面図、雌端子金具が平面図）
【図１２】雌ハウジング内に雌端子金具を挿入する途中の状態を示す側断面図（雌ハウジングが図１のＡ−Ａ線断面図、雌端子金具が図４のＥ−Ｅ線断面図）
【図１３】雌ハウジング内に雌端子金具を挿入した状態を示す側断面図（雌ハウジングが図１のＡ−Ａ線断面図、雌端子金具が図４のＥ−Ｅ線断面図）
【図１４】雌ハウジング内に雌端子金具を挿入した状態を示す側断面図（雌ハウジングが図１のＢ−Ｂ線断面図、雌端子金具が図４のＦ−Ｆ線断面図）
【図１５】雌ハウジング内に雌端子金具を挿入した状態を示す側断面図（雌ハウジングが図１のＣ−Ｃ線断面図、雌端子金具が右側面図）
【図１６】雌ハウジング内に雌端子金具を挿入した状態を示す側断面図（雌ハウジングが図１のＤ−Ｄ線断面図、雌端子金具が平面図）
【図１７】雌ハウジング内に雌端子金具を挿入した状態を示す正面図
【図１８】導通プローブにより導通検査を行った状態を示す側断面図（雌ハウジングが図１のＣ−Ｃ線断面図、雌端子金具が右側面図）
【図１９】解除治具の平面図
【図２０】解除治具の正面図
【図２１】図２０のＧ−Ｇ線断面図
【図２２】解除治具を型抜き孔内に挿入する前の状態を示す側断面図（雌ハウジングが図１のＡ−Ａ線断面図、雌端子金具が右側面図、解除治具が図２０のＧ−Ｇ線断面図）
【図２３】操作アームが操作凹部内に進入した状態を示す側断面図（雌ハウジングが図１のＡ−Ａ線断面図、雌端子金具が右側面図、解除治具が図２０のＧ−Ｇ線断面図）
【図２４】てこ操作を行ってランスが撓み変形された状態を示す側断面図（雌ハウジングが図１のＡ−Ａ線断面図、雌端子金具が右側面図、解除治具が図２０のＧ−Ｇ線断面図）
【図２５】雌端子金具を引き抜く途中の状態を示す側断面図（雌ハウジングが図１のＡ−Ａ線断面図、雌端子金具が右側面図、解除治具が図２０のＧ−Ｇ線断面図）
【図２６】図２３のＨ−Ｈ線断面図
【図２７】解除治具を雄コネクタに使用した場合において、解除部を型抜き孔内に挿入した状態を示す側断面図
【図２８】解除治具を雄コネクタに使用した場合において、てこ操作を行った状態を示す側断面図
【図２９】従来例の断面図
【符号の説明】
１０…雌ハウジング（コネクタハウジング）
１１…キャビティ
１３…ランス
２４…操作凹部
３０…雌端子金具（端子金具）
６０…解除治具
６１…把持部
６２…解除部
６４…傾動規制面（規制部）
６５…受入凹部（受入部）
６５ａ…底面（内面）
７０…雄ハウジング（コネクタハウジング）
７１…雄端子金具（端子金具）
７２…タブ
【図１】
2004014371.tif 000003
【図２】
2004014371.tif 000004
【図３】
2004014371.tif 000005
【図４】
2004014371.tif 000006
【図５】
2004014371.tif 000007
【図６】
2004014371.tif 000008
【図７】
2004014371.tif 000009
【図８】
2004014371.tif 000010
【図９】
2004014371.tif 000011
【図１０】
2004014371.tif 000012
【図１１】
2004014371.tif 000013
【図１２】
2004014371.tif 000014
【図１３】
2004014371.tif 000015
【図１４】
2004014371.tif 000016
【図１５】
2004014371.tif 000017
【図１６】
2004014371.tif 000018
【図１７】
2004014371.tif 000019
【図１８】
2004014371.tif 000020
【図１９】
2004014371.tif 000021
【図２０】
2004014371.tif 000022
【図２１】
2004014371.tif 000023
【図２２】
2004014371.tif 000024
【図２３】
2004014371.tif 000025
【図２４】
2004014371.tif 000026
【図２５】
2004014371.tif 000027
【図２６】
2004014371.tif 000028
【図２７】
2004014371.tif 000029
【図２８】
2004014371.tif 000030
【図２９】
2004014371.tif 000031
【手続補正書】
【提出日】平成15年2月3日(2003.2.3)
【手続補正１】
【補正対象書類名】明細書
【補正対象項目名】特許請求の範囲
【補正方法】変更
【補正の内容】
【特許請求の範囲】
【請求項１】
コネクタハウジングには、端子金具を後方から挿入可能なキャビティが設けられ、このキャビティ内には、基端部から前方へ突出するとともに、挿入される端子金具によって一旦撓み変形された後に復帰して端子金具に対して係止可能なランスが設けられているものにおいて、
ランスの前面のうち、係止した端子金具からはみ出した位置には、前方から解除治具によって操作可能な操作凹部が設けられ、且つこの操作凹部は、端子金具に対する係止面の幅領域内に配されるとともに、前記係止面よりも基端部側に引っ込むように形成され、
さらには、前記端子金具の外壁には、前記ランスに対して係止可能な係止突部が設けられ、且つ前記操作凹部は、前記係止突部と高さ方向について重なる位置に配されていることを特徴とするコネクタ。
【請求項２】
前記操作凹部は、幅方向に一対配されていることを特徴とする請求項１記載のコネクタ。
【請求項３】
前記請求項１または前記請求項２に記載されたコネクタに使用される解除治具であって、
把持部と、この把持部の先端側に配されるとともに前記把持部をてこ操作することで前記操作凹部を操作可能な解除部と、前記てこ操作を行ったときに前記コネクタハウジングの前面に当接することで、前記てこ操作の傾動範囲を規制可能な規制部とを備えられていることを特徴とする解除治具。
【請求項４】
前記把持部には、前記コネクタハウジングの前面から突出される前記端子金具のタブを受け入れ可能な受入部が設けられ、且つこの受入部の内面には、前記把持部が操作された時に前記タブとの干渉を回避可能な逃がしが形成されていることを特徴とする請求項３記載の解除治具。
【手続補正２】
【補正対象書類名】明細書
【補正対象項目名】０００３
【補正方法】変更
【補正の内容】
【０００３】
【発明が解決しようとする課題】
ところで、取り外し時には、係止突部７と端子金具２との高さ方向の係止代だけランス５を撓ませればよいのだが、このときには、解除部８は、係止代よりも大きく変位するため、ハウジング１は、解除部８の変位量を許容するような撓み空間４をランス５の上方に確保する必要がある。このため、コネクタが高さ方向に大型化することが懸念される。
その対策としては、例えば解除部をランス５の側面から幅方向に沿って突出して設けることが考えられる。しかしながら、そうしたのでは、キャビティ３が幅方向に拡張されることになり、コネクタが幅方向に大型化する結果となる。
本発明は上記のような事情に基づいて完成されたものであって、小型化に有効なコネクタ及びそれに好適な解除治具を提供することを目的とする。


【手続補正３】
【補正対象書類名】明細書
【補正対象項目名】０００４
【補正方法】変更
【補正の内容】
【０００４】
【課題を解決するための手段】
上記の目的を達成するための手段として、請求項１の発明に係るコネクタは、コネクタハウジングには、端子金具を後方から挿入可能なキャビティが設けられ、このキャビティ内には、基端部から前方へ突出するとともに、挿入される端子金具によって一旦撓み変形された後に復帰して端子金具に対して係止可能なランスが設けられているものにおいて、ランスの前面のうち、係止した端子金具からはみ出した位置には、前方から解除治具によって操作可能な操作凹部が設けられ、且つこの操作凹部は、端子金具に対する係止面の幅領域内に配されるとともに、前記係止面よりも基端部側に引っ込むように形成され、さらには、前記端子金具の外壁には、前記ランスに対して係止可能な係止突部が設けられ、且つ前記操作凹部は、前記係止突部と高さ方向について重なる位置に配されている構成としたところに特徴を有する。
請求項２の発明は、請求項１に記載のものにおいて、前記操作凹部は、幅方向に一対配されているところに特徴を有する。


【手続補正４】
【補正対象書類名】明細書
【補正対象項目名】０００６
【補正方法】変更
【補正の内容】
【０００６】
請求項４の発明は、請求項３に記載のものにおいて、前記把持部には、前記コネクタハウジングの前面から突出される前記端子金具のタブを受け入れ可能な受入部が設けられ、且つこの受入部の内面には、前記把持部が操作された時に前記タブとの干渉を回避可能な逃がしが形成されているところに特徴を有する。


【手続補正５】
【補正対象書類名】明細書
【補正対象項目名】０００９
【補正方法】変更
【補正の内容】
【０００９】
＜請求項４の発明＞
解除部を操作凹部内に進入させると、コネクタハウジングの前面から突出する端子金具のタブが受入部内に受け入れられる。この状態で把持部を操作すると、逃がしによりタブとの干渉が回避されつつ解除部によりランスが撓み変形させられる。
【手続補正６】
【補正対象書類名】明細書
【補正対象項目名】００１０
【補正方法】変更
【補正の内容】
【００１０】
【発明の実施の形態】
本発明の一実施形態を図１ないし図２８によって説明する。この実施形態では、雌コネクタハウジング１０（以下、単に雌ハウジング１０という）内に雌端子金具３０が挿入されてなる雌コネクタを示す。この雌端子金具３０は、雌ハウジング１０内に収容された状態で、雌ハウジング１０に対して嵌合される相手の雄ハウジング内に収容された雄端子金具（雄ハウジング共々図示せず）と導通接続可能とされている。なお以下では、雌ハウジング１０に対する雌端子金具３０の挿入方向を前方とし、逆の抜き取り方向を後方とし、また上下方向の記載は図８などを基準として説明する。


【手続補正７】
【補正対象書類名】明細書
【補正対象項目名】００１８
【補正方法】変更
【補正の内容】
【００１８】
ランス１３の前端部における上側約２／３部分には、さらに前方へ突出する突き出し部２５が全幅にわたって設けられている。この突き出し部２５は、雌端子金具３０に対してランス１３が係止した状態で、係止突部５２の内側に進入可能とされている。突き出し部２５は、下部２５ａがその上端側にかけて次第に突出長さが次第に大きくなるよう形成され、上部２５ｂ（両操作凹部２４よりも上側部分）が一定の突出長さを有している。別言すると、突き出し部２５の下部２５ａの前端面は、前方へ向かって上り勾配をなすテーパ状に形成されており、上部２５ｂの前端面は、切り立った端面となっている。


【手続補正８】
【補正対象書類名】明細書
【補正対象項目名】００２２
【補正方法】変更
【補正の内容】
【００２２】
底壁３３は、図８に示すように、他の壁３４，３５，３６，３７と比較して前端が後方へ引っ込んだ位置に配されており、この前端から弾性接触片３８が突設されている。弾性接触片３８は、底壁３３の前端から前方へ突出する舌片を後方へ向けて折り返すことで、底壁３３及び天井壁３６に対向するとともに全体として略山形をなす片持ち状に形成されている。この弾性接触片３８は、略Ｕ字型をなす折返部の後側に前傾部分と後傾部分とを順次に繋げた構成とされ、その前傾部分と後傾部分とにまたがる領域には、前後に細長い略長円形状をなす膨出部３９が天井壁３６側へ叩き出して形成されている。この膨出部３９における頂点部分が、相手の雄側端子金具のタブと接触可能な接点部４０とされている。この接点部４０が雄側端子金具のタブによって押圧されるのに伴って、弾性接触片３８は、折返部を撓み支点として底壁３３側へ接近するよう撓み変形可能とされている。撓み変形時には、弾性接触片３８の後端部が底壁３３の内面に当接可能とされ、この部分には弾性接触片３８の撓み代を稼ぐとともに、撓んだ弾性接触片３８を幅方向についてずれ止め可能な凹部４１が所定長さにわたって凹み形成されている。


【手続補正９】
【補正対象書類名】明細書
【補正対象項目名】００４９
【補正方法】変更
【補正の内容】
【００４９】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記した実施形態では、操作凹部を幅方向に一対設けたものを示したが、１つ或いは３つ以上の操作凹部を設けたものも本発明に含まれる。
（２）上記した実施形態では、雌コネクタにおいてランスに操作凹部を設けたものを示したが、雄コネクタについても本発明は同様に適用可能である。また、上記した実施形態では、片持ち状のランスを例示したが、前後両端に撓み支点を有する両持ち状のランスについても本発明は適用可能である。
（３）上記した実施形態では、てこ操作の傾動範囲を規制するための傾動規制面と、雄端子金具のタブを受け入れるための受入凹部とを共に有する解除治具を示したが、傾動規制面のみを有するものも本発明に含まれる。
（４）上記した実施形態では、解除部の先端が二股状に形成されたものを示したが、解除部の形態はその他にも自由に設定することができる。